【事件の表示】
　特願２０１１−　１１６８６「描画装置」拒絶査定不服審判事件〔平成２４年　８月１６日出願公開、特開２０１２−１５２６６１、請求項の数（４）〕について、次のとおり審決する。
【結　論】
　原査定を取り消す。
　本願の発明は、特許すべきものとする。
【理　由】
第１　手続の経緯
　本願は、平成２３年１月２４日の出願であって、平成２６年８月５日付けで拒絶理由（以下、「原審拒絶理由」という。）が通知されたのに対し、平成２６年９月９日に意見書及び手続補正書が提出されたが、平成２７年３月２０日付けで拒絶査定（以下、「原審拒絶査定」という。）がされ、これに対し、平成２７年６月１６日に拒絶査定不服審判が請求された後、当審において平成２８年２月２日付けで拒絶理由（以下、「当審拒絶理由」という。）が通知され、平成２８年３月３０日に意見書及び手続補正書が提出されたものである。
　
第２　本願発明
　本願の請求項１ないし４に係る発明は、平成２８年３月３０日に提出された手続補正書によって補正された特許請求の範囲並びに願書に最初に添付された明細書及び図面の記載からみて、その特許請求の範囲の請求項１ないし４に記載された事項によって特定される次のとおりのものと認める（以下、請求項１に係る発明を、「本願発明」という。）。
　
「　【請求項１】
　重合性化合物及び光重合開始剤を少なくとも含む液状体を吐出する吐出ヘッドを備え、前記吐出ヘッドから前記液状体を被描画媒体に向けて吐出し、前記被描画媒体上に前記液状体を配置する描画装置であって、
　前記液状体を貯留する貯留タンクと、
　前記貯留タンクと接続部とに接続されており、前記液状体が前記貯留タンクから前記接続部に送られる経路である第一供給路と、
　前記貯留タンクと前記接続部とに接続されており、前記液状体が前記接続部から前記貯留タンクに送られる経路である循環流路と、
　前記接続部と前記吐出ヘッドとに接続されており、前記液状体が前記接続部から前記吐出ヘッドに供給される経路である第二供給路と、
　前記液状体の溶存気体を脱気する脱気手段と、を備え、
　前記脱気手段は、前記第二供給路に配設され、
　前記接続部は、前記第一供給路に連通する流路を、前記循環流路又は前記第二供給路に切り替えることを特徴とする描画装置。
　【請求項２】
　前記液状体は、ラジカル重合型の紫外線硬化型のインクであることを特徴とする、請求項１に記載の描画装置。
　【請求項３】
　前記第一供給路及び前記循環流路内の前記液状体の前記溶存気体の溶存気体濃度が、前記吐出ヘッド内の前記溶存気体濃度より高いことを特徴とする、請求項１又は２に記載の描画装置。
　【請求項４】
　前記吐出ヘッドにおける前記液状体の圧力を調整する圧力調整手段をさらに備え、
　前記圧力調整手段は、前記第二供給路における前記脱気手段と前記吐出ヘッドとの間に配設されていることを特徴とする、請求項１乃至３のいずれか一項に記載の描画装置。」
　
第３　原審拒絶査定の理由について
１．原審拒絶査定の理由の概要
１．１　原審拒絶理由の概要
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
　
・請求項１
・引用文献１及び２
・備考
　引用文献１に記載されている「レジスト液」、「レジスト液供給ノズル６５」、「ウェハＷ」、「レジスト塗布装置１７」、「リキッドエンドタンク８３」、「第１の弁９６と第２の弁９４」、「リキッドエンドタンク８３から第１のポンプ８２を経て、第１の弁９６と第２の弁９４に至る管路」、「第３の管路９５」、「第２の弁９４からバッファタンク９０、第４の管路１０５、第２のポンプ１０６、フィルタ１０７及び弁１０８を経て、ノズル６５に至る管路」及び「バッファタンク９０」は、各々請求項１に係る発明の「液状体」、「吐出ヘッド」、「被描画媒体」、「描画装置」、「貯留タンク」、「第一供給路」、「循環流路」、「第二供給路」及び「脱気手段」に相当又は対応する。
　また、引用文献１の段落【００４５】の記載「溶存気体が析出されたレジスト液がバッファタンク９０内に移送される。この時析出した溶存気体はバッファタンク９０の補助管路９７から排気され，溶存気体が除去されたレジスト液だけが，バッファタンク９０に貯留される」に接した当業者にとって、バッファタンク９０により、レジスト液の溶存気体が脱気されることは、記載されているに等しい事項である。
　また、引用文献２には、インクを吹き付けるインクジェットヘッド４０が記載されている（段落【００１８】及び図１を参照）。
　引用文献１及び２は、描画装置の点で共通の技術分野に属するので、引用文献１に記載されている装置に、引用文献２に記載されているものを適用することは、当業者にとって容易である。
　
・請求項２及び３
・引用文献１、２及び３
・備考
（請求項２に係る発明について）
　引用文献３には、活性光線硬化型インクジェットインクとしては、ラジカル重合性のものを含む各種インクが適用可能である事項が記載されており（段落【００８２】を参照）、このものを被吐出材料として選択することは、当業者であれば困難無くなし得る事である。
　
（請求項３に係る発明について）
　引用文献１に記載されている装置において、ノズル６５は脱気装置であるバッファタンク９０の下流にあることに鑑みれば、ノズル６５内の溶存気体濃度は、第２の弁９４より上流側部分のそれよりも低い（換言すれば、前記上流側部分の溶存気体濃度は、ノズル６５内のそれよりも高い）ことは、当業者にとって自明である。
　
・請求項４
・引用文献１ないし５
・備考
　引用文献４には、脱気装置５０とスリットノズル１２との間に圧力調整バルブ５６を設ける事項が記載されている（段落【００２７】及び図１を参照）。また、引用文献５には、気泡除去装置１８とノズル７との間に薬液液面高さ調整装置１３を設け、当該調整装置１３は、ノズル７の先端からの垂れ落ちを防止するために負圧をかけて吸引するサックバック機能を有する事項が記載されている（段落【００１４】ないし【００１６】及び図１を参照）。負圧は、圧力調整に含まれることは、当業者にとって自明である。
　引用文献１に記載されている装置において、ノズル６５の圧力調整を行うという自明な課題を解決する目的で、引用文献４又は５に記載されているものを適用することは、当業者にとって容易である。
　　　　　　　　　　　引　用　文　献　等　一　覧
１.特開２００１−１３７７６６号公報
２.特開２００５−０５９４７６号公報
３.特開２００８−２０７４２５号公報
４.特開２００６−２４７５３１号公報
５.特開２００４−３２７６３８号公報
　
１．２　原審拒絶査定の概要
　この出願については、平成２６年　８月　５日付け拒絶理由通知書（以下、単に「拒絶理由通知書」とする）に記載した理由によって、拒絶をすべきものです。
　なお、意見書及び手続補正書の内容を検討しましたが、拒絶理由を覆すに足りる根拠が見いだせません。
　
備考
  
●　理由（特許法第２９条第２項）について
・請求項１
・引用文献１及び２
　特許出願人は上記の意見書において、下記の（イ）、（ロ）及び（ハ）の主張を行っている。
（イ）引用文献１の第１のポンプ８２、第１の弁９６及び第３の管路９５は、液体を循環させるものではないが、本願発明は、接続部（実施例の切替バルブ４３）により、液体を循環させる場合と吐出する場合とを切り替えるものである。
（ロ）引用文献２においては、脱気装置は、リターン流路を含めたインクの循環経路の一部に設けられているが、本願発明は、脱気手段（実施例の脱気ユニット７１）を介さず循環させるものである。
（ハ）引用文献１と引用文献２を組み合わせても、本願発明の、液体に添加された添加剤を減少させることなく、液体を循環させるというが課題（効果）に繋がらない。
　そこで、上記の主張（イ）、（ロ）及び（ハ）について検討する。
（イ）について
　引用文献２の記載
（Ａ）「流路切替弁６０は、第１流路切替弁６１と、第２流路切替弁６２とを有しており、それぞれインクの流れる方向を切替える３方弁である」（段落００２５）
（Ｂ）「インクをヘッド部から吐出させて印刷を行う場合は、まず、第１流路切替弁６１をインクがメインタンク１０からサブタンク３０へ流れる方向に、かつ、第２流路切替弁６２をインクがサブタンク３０からインクジェットヘッド４０へ流れる方向に切替える」（段落００２８）
（Ｃ）「インクを脱気させる場合は、まず、第１流路切替弁６１をインクが第３インクチューブ２３から脱気装置５０へ流れる方向に、かつ、第２流路切替弁６２をインクがサブタンク３０から第３インク供給チューブ２３へ流れる方向に切替える。これにより、サブタンク３０，第２流路切替弁６２，第３インク供給チューブ２３，第１流路切替弁６１，脱気装置５０の順で循環させ、再びサブタンク３０に戻す循環経路が形成される」（段落００３１）
及び図１に接した当業者にとって、上記の第１流路切替弁６１及び第２流路切替弁６２が、本願発明の接続部に相当することは自明である。つまり、引用文献２には、本願発明の接続部に相当する、第１流路切替弁６１及び第２流路切替弁６２が記載されている。
（ロ）について
　拒絶理由通知書でも指摘したとおり、引用文献１のバッファタンク９０は、本願発明の脱気手段に相当又は対応する。そして、引用文献１の図５に接した当業者にとって、上記のバッファタンク９０が、循環経路ではない場所（第２の弁９４の下流）に設けられていることは自明である。
（ハ）について
　液体に添加された添加剤を減少させることなく、液体を循環させるという点については、そもそも、本願の請求項１に係る発明中において、液体に添加剤が添加されることが前提となるが、現在の請求項１に係る発明中には、液体に添加剤が添加されることが発明特定事項として一切記載されていない。よって、主張（ハ）は、請求項１に係る発明中の記載に基づいていないから、採用できない。
　以上のとおりであるから、上記の主張（イ）、（ロ）及び（ハ）はいずれも受け入れられないものである。
　そのほかの点については拒絶理由通知書の請求項１に対する備考を参照されたい。
　よって、請求項１に係る発明は、引用文献１及び２に記載された発明に基づいて、当業者であれば容易に想到し得たものであるから、依然として、特許法第２９条第２項の規定により特許を受けることができない。
　
・請求項２及び３
・引用文献１、２及び３
　拒絶理由通知書の請求項２及び３に対する備考を参照されたい。
　よって、請求項２及び３に係る発明は、引用文献１、２及び３に記載された発明に基づいて、当業者であれば容易に想到し得たものであるから、依然として、特許法第２９条第２項の規定により特許を受けることができない。
　
・請求項４
・引用文献１ないし５
　拒絶理由通知書の請求項４に対する備考を参照されたい。
　よって、請求項４に係る発明は、引用文献１ないし５に記載された発明に基づいて、当業者であれば容易に想到し得たものであるから、依然として、特許法第２９条第２項の規定により特許を受けることができない。
　
　なお、この出願の明細書の段落０００７（適用例１）は、現在の請求項１に係る発明に正確に対応していない。
　
２．原審拒絶査定の理由に対する当審の判断
２．１　引用文献１
２．１．１　引用文献１の記載
　本願の出願前に頒布され、原審拒絶理由に引用された特開２００１−１３７７６６号公報（以下、「引用文献１」という。）には、「処理液供給方法及び処理液供給装置」に関し、図面とともに次の記載がある。
　
（ア）「【００２８】次に，前記レジスト塗布装置１７について説明する。図４に示したように，このレジスト塗布装置１７は，ケーシング１７ａ内に処理中のウェハＷを収容するカップ６０を有している。このカップ６０は，上方が開口し、処理中のウェハＷの側方及び下方を包囲してウェハＷの周縁から周囲へ飛散する処理液としてのレジスト液を回収できるように構成されている。またカップ６０の底部には，連通接続された排液及び排気用の管路６１などを有している。このカップ６０内には，ウェハＷを略水平姿勢に保持して鉛直軸回りに回転するスピンチャック６２が設けられている。このスピンチャック６２は，カップ６０外にあるモータ６３によって回転駆動される。また，スピンチャック６２は，ウェハＷを搬入出するために図示しない駆動機構により，上下動自在に構成されている。
【００２９】前記レジスト塗布装置１７内のカップ６０上方には，例えばウェハＷにレジスト液を供給するレジスト液供給ノズル６５と，ウェハＷにレジスト液の溶剤を供給する溶剤供給ノズル６６が備えられている。レジスト液供給ノズル６５は，レジスト液供給装置８０に連絡されており，このレジスト液供給装置８０から供給されたレジスト液が，レジスト液供給ノズル６５から吐出されウェハＷ上に塗布されるように構成されている。
【００３０】次に，前記レジスト液供給装置８０について詳しく説明する。図５に示したように，レジスト液は，塗布現像処理システム１の床Ｆ面の下方数メートルの地下に設けられている薬液キャビネット８１に貯蔵されている。この薬液キャビネット８１に隣接して，後述する第１のポンプ８２の空打ちを防止するために，レジスト液を一旦貯蔵させておく処理液供給源としてのリキッドエンドタンク８３が設けられている。このリキッドエンドタンク８３と薬液キャビネット８１とは第１の管路８４で連絡されている。このリキッドエンドタンク８３は，外形が円柱形状のタンクであり，上部から補助管路８５が伸びている。この補助管路８５は，管路８４内の気体を排除したり，後述する第１のポンプ８２によりレジスト液が吸引されたときに圧力開放するためのものである。なお，この補助管路８５には弁８６が取り付けられている。この管路８４内の気体を排除するプロセスは，先ず，薬液キャビネット８１を加圧し，弁８６を開放する。そして，補助管路８５から気体が排除され，気体が管路８４内に無くなった時点で弁８６を閉じる。最後に薬液キャビネット８１の加圧を解除して気体の排除が終了する。また，リキッドエンドタンク８３には，当該タンク８３内のレジスト液の不足を検出するセンサ８７が設けられており，レジスト液の水位が所定の位置まで下降すると，センサ８７が作動し後述するポンプ制御装置１００によって，第１のポンプ８２の駆動を停止できるように構成されている。
【００３１】リキッドエンドタンク８３は後述するバッファタンク９０と第２の管路９１によって結ばれている。このバッファタンク９０は，リキッドエンドタンク８３よりも例えば数メートル高い床Ｆ上に置かれている。そして，この第２の管路９１には第１のポンプ８２が，リキッドエンドタンク８３に隣接して設けられており，この第１のポンプ８２によって，リキッドエンドタンク８３内のレジスト液をバッファタンク９０に汲み上げることができるように構成されている。また，この第２の管路９１には，第２の弁９４がバッファタンク９０に隣接して設けられており，床Ｆ上で第２の管路９１を開閉できるように構成されている。
【００３２】また，床Ｆ下の第２の管路９１から床Ｆの下方でかつ第２の弁９４の上流側で分岐配管としての第３の管路９５が分岐しており，前記第３の管路９５の端部は前記リキッドエンドタンク８３に通じている。この第３の管路９５には，第１の弁９６が取り付けられており，第３の管路９５を開閉できるように構成されている。なお，上述したように，第１の弁９６は，第２の弁９４よりも低位に位置するように構成されている。
【００３３】第１のポンプ８２によって汲み上げられたレジスト液を一旦貯留する前記バッファタンク９０は，略円筒形状をなし，その上面には，大気側に通ずる補助管路９７が設けられており，この補助管路９７には弁９８が設けられている。また，バッファタンク９０には，例えばバッファタンク９０内の液面の高さを検出し，所定の高さになった時点で，第１のポンプ８２の駆動を停止させる信号を出力する検出手段としてのハイレベル液面センサ９９ａと，バッファタンク９０内のレジスト液の不足を検出するローレベル液面センサ９９ｂが取り付けられている。」
（段落【００２８】ないし【００３３】）
　
（イ）「【００４０】ここで上述したレジスト塗布装置１７の作用について詳しく説明する。
…（中略）…
【００４２】ここで，レジスト液供給装置８０の作用について詳しく説明する。先ず，バッファタンク９０内のレジスト液の液面が所定の位置まで下がると，ローレベル液面センサ９９ｂが検出し，ポンプ制御装置１００にそのことを示す信号が送られる。そして，ポンプ制御装置１００は，第１のポンプ８２にＯＮ信号を出力し，図６に示すように，第１のポンプ８２が稼働する。そして，薬液キャビネット８１のレジスト液が，第１の管路８４，開放されている第２の弁９４のある第２の管路９１を通して，バッファタンク９０に汲み上げる。なおこのとき，第１の弁９６は閉じられている。なお，ここで図６，及び後述する図７，図８において，第１の弁９６及び第２の弁９４は，黒塗りの場合が閉じている状態を示し，白塗りの場合が開放されている状態を示す。そして，バッファタンク９０内の液面が所定の高さになるとハイレベル液面センサ９９ａが作動し，ポンプ制御装置１００により，第１のポンプ８２が停止される。
【００４３】次に，図７に示すように，第２の弁９４が閉じられ，第１の弁９６が開かれる。これによって，第２の管路９１内に残ったレジスト液が自重によって下降し，第２の弁９４の直下に落下しようとするレジスト液に対して相対的な負圧空間Ｔが生じる。そしてこの負圧により，管路内，すなわち図７中の格子斜線で示した部分のレジスト液中の溶存気体が泡となって析出し，負圧空間Ｔに溜まる。また，上述したように自重により下降したレジスト液の液柱の一端部は，第３の管路９５を通ってリキットエンド８３まで達し，下降した分だけリキットエンド８３に排出される。その後，再び第１のポンプ８２によって汲み上げられて塗布液として利用される。このようにしてレジスト液から溶存気体が析出された後，第１の弁９６が閉じられ，第２の弁９４が開かれる。
【００４４】一方，バッファタンク９０からウェハＷ上へのレジスト液の供給は，先ず，第３の弁１０６が開放され圧送されたレジスト液が，第４の管路１０５内を通り，レジスト液供給ノズル６５から吐出されることにより行われる。この吐出のタイミングは，レジスト塗布装置１７内にウェハＷが搬入された後，図示しないコントローラにより，第２のポンプ１０６，第３の弁１０８を制御することにより図られている。
【００４５】次に，バッファタンク９０からウェハＷ上にレジスト液が供給され，バッファタンク９０内の液面が所定の位置まで減少すると，再びローレベル液面センサ９９ｂ作動し，ポンプ制御装置１００を介して，図８に示すように，第１のポンプ８２を稼働させる。それにより，溶存気体が析出されたレジスト液がバッファタンク９０内に移送される。この時析出した溶存気体はバッファタンク９０の補助管路９７から排気され，溶存気体が除去されたレジスト液だけが，バッファタンク９０に貯留される。そして，所定の液面高さになるとハイレベル液面センサ９９ａが，ポンプ制御装置１００を介して第１のポンプ８２に信号を送り，バッファタンク９０への供給が停止される。ここで上述したようにバッファタンク９０に貯留されたレジスト液の量が第２の管路９１の全容積よりも小さい時点でハイレベル液面センサ９９ａが信号を送るように設定されているため，未だ，第２の管路９１で溶存気体の除去されていないレジスト液がバッファタンク９０に流れ込むことはない。したがって，初回以外は，常にバッファタンク９０内には，溶存気体を取り除いたレジスト液が供給されるように構成されている。」（段落【００４０】ないし【００４５】）
　
２．１．２　引用文献１記載の事項
　上記２．１．１（ア）及び（イ）並びに図４ないし図８の記載から、引用文献１には、次の事項が記載されていることが分かる。
　
（カ）２．１．１（ア）及び（イ）並びに図４ないし図８の記載から、引用文献１には、レジスト塗布装置１７が記載されていることが分かる。
　
（キ）２．１．１（イ）及び図４の記載から、引用文献１に記載されたレジスト塗布装置１７は、ウェハＷにレジスト液を供給するレジスト液供給ノズル６５を備え、前記レジスト液供給ノズル６５から前記レジスト液をウェハＷに向けて供給し、前記ウェハＷ上にレジスト液を塗布するものであることが分かる。
　
（ク）２．１．１（イ）及び図５の記載から、引用文献１に記載されたレジスト塗布装置１７は、レジスト液を一旦貯蔵するリキッドエンドタンク８３を備えることが分かる。
　
（ケ）図５において、レジスト塗布装置１７は、第２の管路９１と第３の管路９５が分岐する部位（以下、便宜上、「分岐部」という。）を有することが看取されるところ、図５において、第２の管路９１のリキッドエンドタンク８３と分岐部の間の部位、及び第２の管路９１の分岐部とバッファタンク９０の間の部位を、それぞれ、便宜上、「第２の管路の上流部」及び「第２の管路の下流部」ということとすると、２．１．１（ア）の段落【００３１】から、リキッドエンドタンク８３内のレジスト液が、第２の管路の上流部を経路として分岐部に送られ、２．１．１（イ）の段落【００４３】から、レジスト液が、第３の管路９５を経路として分岐部からリキッドエンドタンク８３に送られることが分かる。
　以上から、引用文献１に記載されたレジスト塗布装置１７は、リキッドエンドタンク８３と分岐部とに接続されており、レジスト液がリキッドエンドタンク８３から分岐部に送られる経路である第２の管路の上流部と、リキッドエンドタンク８３と分岐部とに接続されており、レジスト液が分岐部からリキッドエンドタンク８３に送られる経路である第３の管路９５を備えることが分かる。
　
（コ）２．１．１（イ）の段落【００４４】及び図５の記載から、引用文献１に記載されたレジスト塗布装置１７は、分岐部とレジスト液供給ノズル６５とに接続されており、レジスト液が分岐部からバッファタンク９０を介してレジスト液供給ノズル６５に供給される経路である第２の管路の下流部及び第４の管路１０５を備えることが分かる。
　
（サ）２．１．１（ア）の段落【００３０】及び【００３３】の記載から、引用文献１に記載されたレジスト塗布装置１７は、レジスト液の溶存気体を排気する手段として、リキッドエンドタンク８３に設けられた補助管路８５及びバッファタンク９０に設けられた補助管路９７を備えることが分かる。
　
（シ）２．１．１（イ）の段落【００４２】ないし【００４５】及び図６ないし８の記載から、引用文献１に記載されたレジスト塗布装置１７において、分岐部付近に設けられた第２の弁９４及び第１の弁９６を切り替えることにより、第２の管路の上流部のレジスト液の流れを、第３の管路９５又は第２の管路の下流部に切り替えるものであることが分かる。
　
２．１．３　引用文献１記載発明
　上記２．１．１及び２．１．２並びに図４ないし８の記載から、引用文献１には、次の発明（以下、「引用文献１記載発明」という。）が記載されているといえる。
　
「ウェハＷにレジスト液を供給するレジスト液供給ノズル６５を備え、前記レジスト液供給ノズル６５から前記レジスト液をウェハＷに向けて供給し、前記ウェハＷ上にレジスト液を塗布するレジスト塗布装置１７であって、
　前記レジスト液を一旦貯蔵するリキッドエンドタンク８３と、
　前記リキッドエンドタンク８３と分岐部とに接続されており、前記レジスト液が前記リキッドエンドタンク８３から分岐部に送られる経路である第２の管路の上流部と、
　前記リキッドエンドタンク８３と前記分岐部とに接続されており、前記レジスト液が前記分岐部から前記リキッドエンドタンク８３に送られる経路である第３の管路９５と、
　前記分岐部と前記レジスト液供給ノズル６５とに接続されており、前記レジスト液が前記分岐部からバッファタンク９０を介して前記レジスト液供給ノズル６５に供給される経路である前記第２の管路の下流部及び第４の管路１０５と、
　レジスト液の溶存気体を排気する手段として、リキッドエンドタンク８３に設けられた補助管路８５及びバッファタンク９０に設けられた補助管路９７と、を備え、
　前記分岐部付近に設けられた第２の弁９４及び第１の弁９６を切り替えることにより、前記第２の管路の上流部の前記レジスト液の流れを、前記第３の管路９５又は前記第２の管路の下流部に切り替えるレジスト塗布装置１７。」
　
２．２　引用文献２
２．２．１　引用文献２の記載
　本願の出願前に頒布され、原審拒絶理由に引用された特開２００５−０５９４７６号公報（以下、「引用文献２」という。）には、「インク供給装置」に関し、図面とともに次の記載がある。
　
（タ）「【０００１】
　本発明は、インクの微細な粒子を記録媒体に吹き付けることにより印刷を行なうインクジェット印刷機などに好適に利用できるインク供給装置に関するものである。
…（中略）…
【０００５】
　一方、特許文献２の方法においては、循環経路を採用しており、インクが蓄えられたメインタンクや一時的にインクを保持するサブタンクにインクを戻して脱気を行っているが、サブタンクにインクを戻すと、メインタンクにもインクが戻ってしまう構造になっているため、結果として、循環させるインク量が多く、容量が大きい脱気装置を設置する必要があり、装置コストが高く、また、メインタンクで空気が溶融する可能性があり、脱気効率が悪かった。
【０００６】
　また、インクジェット式のヘッド部とサブタンクとの間に脱気装置が配置されているため、ヘッド部の圧力調整を行う場合に、脱気装置で圧力が損失してしまい、圧力伝達がうまくいかず、インクが正しく流れないといった問題が生じてしまっていた。」（段落【０００１】ないし【０００６】）
　
（チ）「【００１６】
　本発明は、インクを吐出して、記録媒体にインクを塗布し、画像を形成するプリンタ用のインク供給装置であり、吐出不良を未然に防ぐという目的を、インクに混入されている泡や溶融している気体を除去する脱気装置をインク供給系に設置し、かつ、インクが長時間供給されない場合に、インクを循環させる経路を形成することにより実現した。
【００１７】
　以下、図面等を参照して、本発明の実施例について、さらに詳しく説明する。
【実施例１】
【００１８】
　図１は、本発明によるインク供給装置の実施例１を模式的に示す図であり、図２は、図１におけるサブタンクをより詳細に示した図である。
　実施例１によるインク供給装置１００は、メインタンク１０と、インク供給チューブ２０と、サブタンク３０と、インクジェットヘッド４０と、脱気装置５０と、流路切替弁６０と、ポンプ７０と、開閉弁８０などとを備える。
…（中略）…
【００２５】
　流路切替弁６０は、第１流路切替弁６１と、第２流路切替弁６２とを有しており、それぞれインクの流れる方向を切替える３方弁である。」（段落【００１６】ないし【００２５】）
　
（ツ）「【００２８】
　次に、実施例１によるインクの流れについて説明する。
　インクをヘッド部から吐出させて印刷を行う場合は、まず、第１流路切替弁６１をインクがメインタンク１０からサブタンク３０へ流れる方向に、かつ、第２流路切替弁６２をインクがサブタンク３０からインクジェットヘッド４０へ流れる方向に切替える。
…（中略）…
【００３１】
　一方、インクを脱気させる場合は、まず、第１流路切替弁６１をインクが第３インクチューブ２３から脱気装置５０へ流れる方向に、かつ、第２流路切替弁６２をインクがサブタンク３０から第３インク供給チューブ２３へ流れる方向に切替える。これにより、サブタンク３０，第２流路切替弁６２，第３インク供給チューブ２３，第１流路切替弁６１，脱気装置５０の順で循環させ、再びサブタンク３０に戻す循環経路が形成される。
　ついで、ポンプ７０を作動させて、循環経路内のインクを循環させることにより、脱気装置５０にてインクが脱気される。」（段落【００２８】ないし【００３１】）
　
２．２．２　引用文献２記載技術
　上記２．２．１及び図１の記載から、引用文献２には、次の技術（以下、「引用文献２記載技術」という。）が記載されているといえる。
　
「画像形成装置において、メインタンク１０からインクジェットヘッド４０に至るインクの流れの途中に、第１流路切替弁６１、脱気装置５０、サブタンク３０、第２流路切替弁６２を設け、該第２流路切替弁６２により分岐したインクの流れをポンプ７０を介して第１流路切替弁６１に合流し、第２流路切替弁は、サブタンク３０に連通する流路を第３インク供給チューブ２３又はインクジェットヘッド４０に至る流路に切り替えることにより、サブタンク３０、第２流路切替弁６２、第３インク供給チューブ２３、第１流路切替弁６１、脱気装置５０の順で循環させ、再びサブタンク３０に戻す循環経路を形成し、ポンプ７０を作動させて、循環経路内のインクを循環させることにより、脱気装置５０にてインクを脱気する技術。」
　
２．３　引用文献３の記載
　本願の出願前に頒布され、原審拒絶理由に引用された特開２００８−２０７４２５号公報（以下、「引用文献３」という。）には、「インクジェットインク吐出方法、活性光線硬化型インクジェットインク及びインクジェット記録装置」に関し、図面とともに次の記載がある。
　
（ナ）「【００８２】
  本発明の活性光線硬化型インクジェットインクでは、ラジカル重合性、カチオン重合性あるいはラジカル・カチオンハイブリッド重合性の各種インクが適用可能であるが、これらの活性光線硬化型インクジェットインクは、比較的電気伝導性を有するインクであり、具体的には、電気伝導度が１０μＳ／ｃｍ以上、６０μＳ／ｃｍ以下であることが好ましく、より好ましくは、２０μＳ／ｃｍ以上、５０μＳ／ｃｍ以下である。なお、インクの電気伝導度は、電導度計（例えば、電導度計ＳＣ−５１型：横河北辰電機社製）を用いて求めることができる。」（段落【００８２】）
　
２．４　引用文献４の記載
　本願の出願前に頒布され、原審拒絶理由に引用された特開２００６−２４７５３１号公報（以下、「引用文献４」という。）には、「塗布方法及び光学フィルムの製造方法」に関し、図面とともに次の記載がある。
　
（ハ）「【００２７】
　すなわち、スロットダイ１２は塗布液１４を貯留する塗布液タンク４０と給液配管４２で連結されている。給液配管４２には、上流側より順に、送液ポンプ４６、濾過フィルタ４８、膜脱気装置５０、流量計５２、圧力センサ５４、圧力調整バルブ５６が接続されている。圧力センサ５４及び圧力調整バルブ５６には制御手段であるバルブコントローラ５８が接続されている。」（段落【００２７】）
　
２．５　引用文献５の記載
　本願の出願前に頒布され、原審拒絶理由に引用された特開２００４−３２７６３８号公報（以下、「引用文献５」という。）には、「薄膜塗布装置」に関し、図面とともに次の記載がある。
　
（マ）「【００１４】
【発明の実施の形態】
以下、本発明の実施の形態を図面を参照しながら説明する。
図１は本発明の一実施形態における薄膜塗布装置の概略構成図である。この薄膜塗布装置は、先に図１１を用いて説明した従来のものとほぼ同様の構成を有しており、ウエハー１を水平に保持し回転させるウエハー回転機構２と、薬液３を搬送し滴下する薬液塗布機構４とを備えている。
【００１５】
ウエハー回転機構２はウエハー１を保持するウエハーチャック５と、ウエハーチャック５を回転させるモーターフランジ６とを有している。薬液塗布機構４は、ウエハー１に薬液３を滴下する吐出ノズル７と、薬液３の供給源である薬液瓶８とが配管９により連通され、その管路途中に、薬液瓶８側から順にバッファータンク１０とポンプ１１とパーティクルろ過装置１２と薬液液面高さ調整装置１３とが介装されている。
【００１６】
薬液瓶８にはＮ２加圧配管１４が設けられており、バッファータンク１０とパーティクルろ過装置１２にはそれぞれ、廃液を捨てるためのバッファータンクドレイン１５とパーティクルろ過装置ドレイン１６が設けられている。薬液液面高さ調整装置１３は、吐出ノズル７における薬液液面高さを調整するもので、所定量吐出後の吐出ノズル７の先端からの垂れ落ちを防止するために負圧をかけて吸引するサックバック機能を有している。１７は後述するように薬液塗布機構を制御する制御装置であり、制御ラインは簡便のために一部のみ示している。」（段落【００１４】ないし【００１６】）
　
２．６　対比・判断
２．６．１　本願発明と引用文献１記載発明との対比
　本願発明と引用文献１記載発明とを対比すると、「液状体」という限りにおいて、引用文献１記載発明における「ウェハＷにレジスト液」は、本願発明における「重合性化合物及び光重合開始剤を少なくとも含む液状体」に相当し、「ワーク上に液状体を塗布する」という限りにおいて、引用文献１記載発明において「レジスト液供給ノズル６５からレジスト液をウェハＷに向けて供給し、ウェハＷ上にレジスト液を塗布する」ことは、本願発明において「吐出ヘッドから液状体を被描画媒体に向けて吐出し、被描画媒体上に液状体を配置する」ことに相当するといえる。したがって、「液状体を供給する供給口を備え、ワーク上に液状体を塗布する塗布装置」という限りにおいて、引用文献１記載発明における「ウェハＷにレジスト液を供給するレジスト液供給ノズル６５を備え、レジスト液供給ノズル６５からレジスト液をウェハＷに向けて供給し、ウェハＷ上にレジスト液を塗布するレジスト塗布装置１７」は、本願発明における「重合性化合物及び光重合開始剤を少なくとも含む液状体を吐出する吐出ヘッドを備え、吐出ヘッドから液状体を被描画媒体に向けて吐出し、被描画媒体上に液状体を配置する描画装置」に相当する。
　そして、引用文献１記載発明における「一旦貯蔵する」は、その構成、機能又は技術的意義からみて、本願発明における「貯留する」に相当し、以下同様に、「リキッドエンドタンク８３」は「貯留タンク」に、「分岐部」は「接続部」に、「第２の管路の上流部」は「第一供給路」に、「第３の管路９５」は「循環流路」に、「第２の管路の下流部及び第４の管路１０５」は「第二供給路」に、「レジスト液の溶存気体を排気する手段」である「補助管路８５、９７」は「脱気手段」に、それぞれ相当する。
　さらに、「接続部付近で、第一供給路に連通する流路を、循環流路又は第二供給路に切り替える」という限りにおいて、引用文献１記載発明において「分岐部付近に設けられた第２の弁９４及び第１の弁９６を切り替えることにより、第２の管路の上流部のレジスト液の流れを、第３の管路９５又は第２の管路の下流部に切り替える」ことは、本願発明において「接続部は、第一供給路に連通する流路を、循環流路又は第二供給路に切り替える」ことに相当する。
　
　よって、本願発明１と引用文献１記載発明とは、
「　液状体を供給する供給口を備え、ワーク上に液状体を塗布する塗布装置であって、
　前記液状体を貯留する貯留タンクと、
　前記貯留タンクと接続部とに接続されており、前記液状体が前記貯留タンクから前記接続部に送られる経路である第一供給路と、
　前記貯留タンクと前記接続部とに接続されており、前記液状体が前記接続部から前記貯留タンクに送られる経路である循環流路と、
　前記接続部と前記供給口とに接続されており、前記液状体が前記接続部から前記供給口に供給される経路である第二供給路と、
　前記液状体の溶存気体を脱気する脱気手段と、を備え、
　接続部付近で、第一供給路に連通する流路を、循環流路又は第二供給路に切り替える塗布装置。」
　
＜相違点＞
（ａ）「液状体を供給する供給口を備え、ワーク上に液状体を塗布する塗布装置」に関し、本願発明においては「重合性化合物及び光重合開始剤を少なくとも含む液状体を吐出する吐出ヘッドを備え、吐出ヘッドから液状体を被描画媒体に向けて吐出し、被描画媒体上に液状体を配置する描画装置」であるのに対し、引用文献１記載発明においては「ウェハＷにレジスト液を供給するレジスト液供給ノズル６５を備え、レジスト液供給ノズル６５からレジスト液をウェハＷに向けて供給し、ウェハＷ上にレジスト液を塗布するレジスト塗布装置１７」である点（以下、「相違点１」という。）。
（ｂ）「接続部付近で、第一供給路に連通する流路を、循環流路又は第二供給路に切り替える」ことに関し、本願発明においては「接続部は、第一供給路に連通する流路を、循環流路又は第二供給路に切り替える」のに対し、引用文献１記載発明においては「分岐部付近に設けられた第２の弁９４及び第１の弁９６を切り替えることにより、第２の管路の上流部のレジスト液の流れを、第３の管路９５又は第２の管路の下流部に切り替える」点（以下、「相違点２」という。）。
（ｃ）本願発明１においては、脱気手段が、第二供給路に配設されているのに対し、引用文献１記載発明においては、レジスト液の溶存気体を排気する手段である補助管路８５、９７は、リキッドエンドタンク８３及びバッファタンク９０に設けられている点（以下、「相違点３」という。）。
　
２．６．２　判断
　上記相違点１ないし３について検討する。
　事案に鑑み、相違点１と相違点３を合わせて検討すれば、引用文献１記載発明は、「ウェハＷにレジスト液を供給するレジスト液供給ノズル６５を備え、レジスト液供給ノズル６５からレジスト液をウェハＷに向けて供給し、ウェハＷ上にレジスト液を塗布するレジスト塗布装置１７」であることを前提として、レジスト液の溶存気体を排気する手段である補助管路８５、９７は、リキッドエンドタンク８３及びバッファタンク９０に設けたものである。これにより、引用文献１記載発明は、「処理液が前記配管中，すなわち前記
供給用バッファタンク移送される前に，溶存気体を泡として析出させる
　これに対し、本願発明は、「重合性化合物及び光重合開始剤を少なくとも含む液状体を吐出する吐出ヘッドを備え、吐出ヘッドから液状体を被描画媒体に向けて吐出し、被描画媒体上に液状体を配置する描画装置」であることを前提として、脱気手段を、第二供給路に配設することにより、「吐出ヘッドから吐出するために描画装置に貯留されている液状体の多くは、貯留タンクと第一供給路と接続部と循環流路とからなる循環流路を流動させることができる。吐出ヘッドに供給される直前の液状体が、第二供給路に滞留する。脱気手段が第二供給路に配設されているため、脱気手段によって脱気された液状体は、第二供給路における脱気手段と吐出ヘッドとの間の部分にのみ存在する。当該部分の液状体は、吐出ヘッドに補充され、吐出される直前の液状体である。これにより、脱気手段によって脱気された液状体が描画装置内に留まる時間を抑制することができる。すなわち、例えば重合抑制剤や酸素が減少させられることで反応し易くなった液状体が、描画装置の内部に留まる時間を抑制することができる。」（本願の明細書の段落【０００８】）との作用効果を奏するものである。
　そして、重合性化合物及び光重合開始剤を少なくとも含む液状体を吐出するに際し、循環流路より下流に設けられた脱気手段により脱気することは、引用文献１ないし５のいずれにも開示も示唆もない。
　したがって、引用文献１記載発明において、相違点１及び３に係る本願発明の発明特定事項のように特定することは、当業者が容易に想到し得たことではない。
　
　次に、相違点２について検討する。
　本願発明と引用文献２記載技術とは、画像を形成する装置という共通の技術分野に属する（上記２．２．１（チ）の段落【００１６】参照。）。
　そして、引用文献２記載技術において、第２流路切替弁は、サブタンク３０に連通する流路を第３インク供給チューブ２３又はインクジェットヘッド４０に至る流路に切り替えるものであるから、引用文献１記載発明において、分岐部付近に設けられた第２の弁９４及び第１の弁９６に代えて、引用文献２記載技術における第２流路切替弁を参酌して、上記相違点２に係る本願発明の発明特定事項のように特定することは、当業者が容易に想到し得たことである。
　
２．６．３　小活
　したがって、本願発明は、引用文献１ないし５に係る発明から当業者が容易に発明ができたものではない。
　また、本願の請求項２ないし４に係る発明は、本願発明をさらに限定したものであるので、同様に、引用文献１ないし５に係る発明から当業者が容易に発明ができたものではない。
　よって、原審拒絶査定の理由によっては、本願を拒絶することはできない。
　
第４　当審拒絶理由について
１．当審拒絶理由の概要
　本願は、特許請求の範囲の記載の請求項１、３及び４の記載が、次の点で不備であるから、特許法第３６条第６項第１号に規定する要件を満たしていない。 
　
　　　　　　　　　　　　　　　　　記 
　
　本願の請求項１並びに請求項１を引用する請求項３及び４の記載は、以下の点で、発明の課題を解決するための手段であるとして発明の詳細な説明に記載されている技術的特徴に関連する事項が反映したものではない。 
　請求項１並びに請求項１を引用する請求項３及び４に係る発明の内容として、発明の詳細な説明に開示されている技術は、「しかしながら、特許文献１に記載されている減圧機構のような脱気装置は、溶存気体を脱気するとともに、液状体に添加された添加剤も減少させることがある。例えばＵＶ硬化型の機能液においては、描画装置の内部で機能液が固化することを抑制するために、重合抑制剤が添加されている。特許文献１に記載されている減圧機構のような脱気装置は、循環している機能液から重合抑制剤や酸素が減少させられることで、機能液が反応し易くなり、描画装置の内部で固化し易くなるという課題があった。このように、脱気装置によって添加剤が減少させられた液状体が描画装置の内部に留まることで、不具合が発生する可能性が高くなるという課題があった。」（【発明が解決しようとする課題】を記載した段落【０００５】）との記載からみて、描画装置の内部で固化することを抑制するために、例えば重合抑制剤が添加されているＵＶ硬化型の機能液を用いることを前提とした描画装置において、脱気装置によって添加剤が減少させられた液状体が描画装置の内部に留まることで、不具合が発生する可能性が高くなるという課題を解決するものである。 
　しかしながら、本願の請求項１は、上記前提を発明特定事項とするものではないから、上記課題に対応して、発明の課題を解決するための手段を反映していない。 
　このため、本願の請求項１並びにこれを引用する請求項３及び４に係る発明は発明の詳細な説明に記載したものとはいえず、本願は、発明の詳細な説明に記載した範囲を超えて特許を請求するものである。 
　
　本願の明細書の段落【００３７】に、「機能液４０は、例えば、紫外線硬化型インクである。本実施形態におけるインク（以下、「インク組成物」ともいう。）の組成は、特に限定されない。インクが紫外線硬化型インクである場合、重合性化合物及び光重合開始剤を少なくとも含む。さらに、上記インクがクリアインク以外の有色インクである場合には、色材も含む。以下、インク組成物に含まれるか又は含まれ得る各成分を説明する。」と記載されているところ、例えば請求項１において、「液状体」が「重合性化合物及び光重合開始剤を少なくとも含む」ことを明らかにされたい。 
　
２．当審拒絶理由に対する判断
　平成２８年３月３０日提出の手続補正書による手続補正（以下、「本件補正」という。）によって、本件補正前の請求項１の発明特定事項である「液状体を吐出する吐出ヘッドを備え、前記吐出ヘッドから前記液状体を被描画媒体に向けて吐出し、前記被描画媒体上に前記液状体を配置する描画装置であって」は、「重合制化合物及び光重合開始剤を少なくとも含む液状体を吐出する吐出ヘッドを備え、前記吐出ヘッドから前記液状体を被描画媒体に向けて吐出し、前記被描画媒体上に前記液状体を配置する描画装置であって」と補正された。
　これによって、本願の請求項１及びこれを引用する請求項２ないし４の記載は、発明の課題を解決するための手段であるとして発明の詳細な説明に記載されている技術的特徴に関連する事項を反映したものとなった。
　よって、当審拒絶理由は解消した。
　
第５　むすび
　以上のとおり、原審拒絶査定の理由及び当審拒絶理由によっては、本願を拒絶することはできない。
　また、他に本願を拒絶すべき理由を発見しない。
　
　よって、結論のとおり審決する。